(57)【要約】【課題】発光液を用いたディスプレイ装置として、従来にはない新たなディスプレイ効果を奏するディスプレイ装置の提供を課題とする。【解決手段】底付きの透明な外筒体１０と、その外筒体１０に対して２重管状に仕切られて配置される内筒体２０とを有し、前記外筒体１０には水等の液体を入れ、前記内筒体２０には発光液を入れることで、該発光液から発せられた光が外筒体１０の液体を透過して、外部に輝くように構成される。内筒体２０はその上端を漏斗状に拡径した発光液受口２０ａとし、該発光液受口２０ａを外筒体１０の上端開口１１ａに着座させることで、外筒体１０の上端開口１１ａを閉止状態に被蓋すると共に発光液受口２０ａ自らは安定状態に位置決めされる。【選択図】    図１
0003135602.tif 000002
【実用新案登録請求の範囲】
【請求項１】
底付きの透明な外筒体と、その外筒体に対して２重管状に仕切られて配置される内筒体とを有し、前記外筒体には水等の液体を入れ、前記内筒体には発光液を入れることで、該発光液から発せられた光が外筒体の液体を透過して、外部に輝くように構成したことを特徴とするディスプレイ装置。
【請求項２】
内筒体はその上端を漏斗状に拡径した発光液受口とし、該発光液受口を外筒体の上端開口に着座させることで、外筒体の上端開口を閉止状態に被蓋すると共に発光液受口自らは安定状態に位置決めされるように構成したことを特徴とする請求項１に記載のディスプレイ装置。
【請求項３】
発光液は、一対の液からなり、該一対の液が内筒体内に注ぎ込まれることで両者が混ざったときに発光するものを用いることを特徴とする請求項１又は２に記載のディスプレイ装置。
【請求項４】
前記外筒体は水槽とし、熱帯魚等の魚を入れるように構成したことを特徴とする請求項１〜３の何れかに記載のディスプレイ装置。
【請求項５】
外筒体の下方に上向きの照明手段を配置してあることを特徴とする請求項１〜４の何れかに記載のディスプレイ装置。
【考案の詳細な説明】
【技術分野】
【０００１】
本考案はディスプレイ装置に関する。
【背景技術】
【０００２】
発光液を用いたディスプレイ装置は従来から提供されている。
実用新案登録第３００１７８７号公報（特許文献１）には載置台付大型化学発光体として、化学発光液４と化学発光薬液５入りアンプル６とを収めた透明な箱体容器１を着脱自在に載置台３に取り付けることができるようにした考案が提供されている。
また実用新案登録第３０９１６３５号公報（特許文献２）には、セレモニー演出用具として、発光液等が上方の容器２から下方の容器に流れていくようにした考案が提供されている。
また特開２００５−５２２４号公報（特許文献３）には、発光液を使用する演出器材として、透明シリコン２を入れたガラス筐体１に発光液を入れるようにした考案が提供されている。
更に特開２００５−１１７０９号公報（特許文献４）には、発光液循環型演出器材として、発光液を循環させながら送給管７等に泡を導入して発光させる考案が提供されている。
一方、特開２００４−５６３号公報（特許文献５）には、水槽１内の中央に送水管１３を設けて空気を送り、送水管内に気泡を発生させ水槽上部の貯水槽から水を落とすことで水槽内に対流が発生し、水槽内に設けた魚模型がより自然に泳ぐようにした観賞用水槽及び観賞用ディスプレイ装置が提供されている。
また特開２００７−６８４５５号公報（特許文献６）には、正方体の水槽の中央に透明の仕切り板を設け、海水棲、淡水棲などの異なる水棲生物を分離して水槽に入れることで、あたかも混泳しているかのように観賞できる観賞用水槽が提供されている。
【特許文献１】実用新案登録第３００１７８７号公報
【特許文献２】実用新案登録第３０９１６３５号公報
【特許文献３】特開２００５−５２２４号公報
【特許文献４】特開２００５−１１７０９号公報
【特許文献５】特開２００４−５６３号公報
【特許文献６】特開２００７−６８４５５号公報
【考案の開示】
【考案が解決しようとする課題】
【０００３】
上記特許文献１〜４に開示される考案は、発光液を用いたディスプレイ装置として、それなりの演出効果を奏するものであるが、発光液を用いたより異なった演出効果を奏するものが望まれるところである。
また特許文献５、６に開示される考案は、観賞用水槽として、水や魚を使用した一種のディスプレイとなるものであるが、発光液を利用するようなものではない。
【０００４】
そこで本考案は発光液を用いたディスプレイ装置として、従来にはない新たなディスプレイ効果を奏するディスプレイ装置の提供を課題とする。
【課題を解決するための手段】
【０００５】
上記課題を達成するため本考案のディスプレイ装置は、底付きの透明な外筒体と、その外筒体に対して２重管状に仕切られて配置される内筒体とを有し、前記外筒体には水等の液体を入れ、前記内筒体には発光液を入れることで、該発光液から発せられた光が外筒体の液体を透過して、外部に輝くように構成したことを第１の特徴としている。
また本考案のディスプレイ装置は、上記第１の特徴に加えて、内筒体はその上端を漏斗状に拡径した発光液受口とし、該発光液受口を外筒体の上端開口に着座させることで、外筒体の上端開口を閉止状態に被蓋すると共に発光液受口自らは安定状態に位置決めされるように構成したことを第２の特徴としている。
また本考案のディスプレイ装置は、上記第１又は第２の特徴に加えて、発光液は、一対の液からなり、該一対の液が内筒体内に注ぎ込まれることで両者が混ざった時に発光するものを用いることを第３の特徴としている。
また本考案のディスプレイ装置は、上記第１〜第３の何れかの特徴に加えて、前記外筒体は水槽とし、熱帯魚等の魚を入れるように構成したことを第４の特徴としている。
また本考案のディスプレイ装置は、上記第１〜第４の何れかの特徴に加えて、外筒体の下方に上向きの照明手段を配置してあることを第５の特徴としている。
【考案の効果】
【０００６】
請求項１に記載のディスプレイ装置によれば、底付きの透明な外筒体と、その外筒体に対して２重管状に仕切られて配置される内筒体とを有し、前記外筒体には水等の液体を入れ、前記内筒体には発光液を入れることで、該発光液から発せられた光が外筒体の液体を透過して、外部に輝くように構成したので、
透明な外筒体に液体を入れ、内筒体に発光液を入れることで、２重管状に仕切られた内筒体内の発光体が外筒体及びその中に入れられた液体を透過して周囲に光を放つ。内筒体、外筒体、及び外筒体内の液体を透過することにより、透過する光が変化に富んだ光模様となって放射状に放たれて輝くことができる。また外筒体に入れる液体を利用して、液体内に光の反射片となるものを分散状態に入れることもできる。
よって変化に富んだ美しい光模様からなるディスプレイを創出することができる。
【０００７】
請求項２に記載のディスプレイ装置によれば、上記請求項１に記載の構成による作用効果に加えて、内筒体はその上端を漏斗状に拡径した発光液受口とし、該発光液受口を外筒体の上端開口部に着座させることで、外筒体の上端開口を閉止状態に被蓋すると共に発光液受口自らは安定状態に位置決めされるように構成したので、
漏斗状に拡径した発光液受口から発光液を容易に漏れ出ることなく内筒体内に流入させることができる。またその流入の際には、発光液受口が外筒体の上端開口部に着座しているので、発光液受口が揺れ動くようなことなく安定した位置に位置決めされ、安定した受け入れ口として発光液の注ぎ込みを確実行うことができる。
更に内筒体の漏斗状に拡径した発光液受口が外筒体の上端開口部に着座することで、外筒体の上端開口部を確実に被蓋することになるので、例え発光液を注ぐ際に漏れることがあっても、外筒体に発光液が混入するのを確実に防ぐことができる。
【０００８】
請求項３に記載のディスプレイ装置によれば、上記請求項１又は２に記載の構成による作用効果に加えて、発光液は、一対の液からなり、該一対の液が内筒体内に注ぎ込まれることで両者が混ざった時に発光するものを用いるので、
一対の液が内筒体内に注がれて混ざった時に初めて発光を開始し、該内筒体、外筒体内の液体、外筒体を透過して外部に光が輝き放たれる。よって観者に対して美的発光の瞬間を十分に楽しませることができる。
また結婚披露宴において、新郎新婦による最初の共同作業として、前記一対の液の注ぎ込み作業を企画することで、従来からのキャンドルサービスに代わる新たなキャンドルサービスの道具としても、効果的なディスプレイ効果を発揮させることができる。
【０００９】
請求項４に記載のディスプレイ装置によれば、上記請求項１〜３の何れかに記載の構成による作用効果に加えて、前記外筒体は水槽とし、熱帯魚等の魚を入れるように構成したので、
魚が泳ぐ観賞水槽としての外筒体に、発光液による光透過の演出が組み合わされた、発光液が中心から放たれる筒状水槽として、観者に新たな魅力ある発光水槽ディスプレイを提供することができる。
【００１０】
請求項５に記載のディスプレイ装置によれば、上記請求項１〜４の何れかに記載の構成による作用効果に加えて、外筒体の下方に上向きの照明手段を配置してあるので、
発光液と合わせて同時に照明させることにより、或いは発光液とは別に照明させることにより、外筒体内を下方から照らすことができ、外筒体内やそれを含む全体をより美しく際立たせることができる。
【考案を実施するための最良の形態】
【００１１】
以下の図面を参照して、本考案の実施形態に係るディスプレイ装置について説明する。
図１は本考案の実施形態に係るディスプレイ装置の斜視図、図２は本考案の実施形態に係るディスプレイ装置の底面図である。
【００１２】
図１を参照して、本考案の実施形態に係るディスプレイ装置１は、外筒体１０と内筒体２０とを有する。
【００１３】
前記外筒体１０は、本実施形態では観賞用水槽として構成されている。外筒体１０は、透明で縦長の底付きの筒状に構成されている。即ち外筒体１０は、縦長の筒部１１とその底を兼用する載置底部１２とを有し、載置底部１２には、着座脚１３が設けられている。
前記外筒体１０は透明材とし、例えば熱硬化型アクリル樹脂を使用することができる。勿論、ガラス等の他の透明材料を用いてもよい、透明には半透明を含むものとする。また無色透明の他、有色透明の材料であってもよい。
なお外筒体１０のうち着座脚１３については、必ずしも透明である必要はない。
前記筒部１１は円筒形状とするが、角筒、楕円筒や、断面が三角、星形、その他の形状の筒形状であってもよい。
前記載置底部１２は、比較的厚みのある円盤形状をしており、その外径は前記筒部１１の外径を超えるものとし、外筒体１０を立設載置する際に十分な安定性をもたらすようにしている。と同時に、後述する照明装置３０を取り付けるための取り付け台の役割を果たしている。
外筒体１０が載置底部１２によって立設されると、縦長の形状となるので、設置するスペースが狭いところでも容易に設置ができ、例えばレストランやパーティ会場のテーブル上にも設置が可能となる。
載置底部１２の上面の中央部には、内筒体２０の下端を受けて支持する支持受部１２ａを突出して設けている。この支持受部１２ａは、その中央部が前記内筒体２０の下端が嵌り込んで支持されるように凹所となっている。
筒部１１と載置底部１２とは十分強固に結合一体化されており、両者の隙間から水等が漏れることがないように水密状態になされている。両者の結合については、接着剤による接着、溶着、ネジ固定、その他の周知の結合方法を用いて結合することが可能である。
前記着座脚１３は、外筒体１０が安定して着座、載置されるように、前記載置底部１２の裏面の外周近くに、複数個をバランスよく配置させている。着座脚１３にはゴム等の滑り止めを取り付けるようにすることができる。
【００１４】
本実施形態では、外筒体１０内に水を入れ、魚Ｆを泳がすようにしている。勿論、魚Ｆに加えて、クラゲ・サンゴ・イソギンチャク、水草等の水棲動植物を入れるようにしてもよい。前記魚Ｆとしては、熱帯魚などの色彩に特徴のある小魚がディスプレイ装置の一部としては好ましい。
勿論、前記外筒体１０内には、水を入れて魚Ｆを泳がす他に、発光液からの光に反応して綺麗な色、模様等を醸し出す液体を入れておくことができる。この様な液体を入れておくことで、該液体を透過して外部に出てくる光の色や模様を種々に変化させることが可能となる。
【００１５】
前記内筒体２０は、前記外筒体１０の中に２重管状に仕切られて配置される筒体である。該内筒体２０は透明材とし、例えば発光液に侵されないガラスを使用することができる。勿論、発光液によって侵されることのない材料であれば、ガラスに限定されるものではない。透明には半透明を含むものとする。また無色透明の他、有色透明の材料であってもよい。
内筒体２０は、細長い筒体で、その上端を漏斗状に拡径した発光液受口２０ａとしている。また下端２０ｂは底付きとなって閉止されている。
この漏斗状に拡径した発光液受口２０ａは、その外径が前記外筒体１０の筒部１１の上端開口１１ａよりも大きい。よって発光液受口２０ａを筒部１１の上端開口１１ａに着座させることで、筒部１１の上端開口１１ａが発光液受口２０ａによって閉止状態に被蓋される。と同時に、発光液受口２０ａ自らは筒部１１の上端開口１１ａに丁度乗っかる状態となり、安定状態に位置決めされることになる。
前記内筒体２０の下端２０ｂは、前記外筒体１０の載置底部１２に突出する支持受部１２ａに差し込まれて、安定状態に支持される。このようにして、内筒体２０は、その上端の発光液受口２０ａと下端２０ｂとで、外筒体１０に対して安定状態に支持されて、２重管構造を保っている。
【００１６】
前記外筒体１０の下方に上向きの照明手段として、照明装置３０を配置している。この照明装置３０は、具体的には、前記外筒体１０の載置底部１２の下面の中央領域、即ち前記載置底部１２の周縁付近に取り付けられた複数の着座脚１３に対して内側にある領域に配置されている。照明装置３０の嵩は着座脚１３の寸法を超えるものではない。
照明装置３０にはＬＥＤ照明部３１が設けられ、該ＬＥＤ照明部３１は、丁度外筒体１０の筒部１１の下方となる位置に配置されて、複数のＬＥＤ３１ａが上向きに発光するように配置されている。各ＬＥＤ３１ａの色は、例えば白色とするが、他の色や複数種類の色の組み合わせであってもよい。電源はバッテリーを用いるものとすることができるが、一般家庭用電源を用いるようにすることもできる。
【００１７】
発光液は、酸化液と蛍光液とからなる周知の一対の液を用い、これを混合することで発光が行われるものを使用する。発光液を前記漏斗管２１の管内部に注入して構成される。
【００１８】
上記のような構成において、外筒体１０の筒部１１に水を充填し、更に魚Ｆやその他の水棲生物を入れる。そして次に内筒体２０を、その下端２０ｂを外筒体１０の載置底部１２の支持受部１２ａに嵌め込んで支持させると共に、発光液受口２０ａを外筒体１０の上端開口１１ａに着座させる。そしてこの状態で披露宴会場やその他の会場、レストラン等、ディスプレイ演出を必要とする場所のテーブル等の上に載置する。これによって発光液を注ぐ前の準備が完了する。なお外筒体１０に水や魚Ｆを入れるタイミング、内筒体２０をセットするタイミング、外筒体１０をテーブル等の上に載置するタイミングは、状況に応じて変更される。
準備が整った状態で、ディスプレイ演出の出番、例えば結婚披露宴のキャンドルサービスの時がくると、発光液の一対の液が、例えば新郎と新婦とによって、内筒体２０の発光液受口２０ａに注がれる。注がれた一対の液はロート状の筒内を流れ落ちると共に相互に混合し、発光を開始する。これによって、暗くされた場内に発光液による発光で、外筒体１０と内筒体２０とからなるディスプレイ装置１の水槽が発光して浮かびあがる。
発光液受口２０ａは漏斗状に拡径されており、且つ外筒体１０の上端開口１１ａ上に着座していることから、発光液を注ぐ際に、場内が暗くても、発光液の漏れ落ちがないようにすることができる。また例え漏れ落ちることがあっても、外筒体１０の上端開口１１ａが発光液受口２０ａの下に被蓋状態にあることから、発光液が外筒体１０の中に入っていくようなことを確実に防止することができる。よって外筒体１０内の生物に危害が及ぶといった好ましくない状況となるような事態を確実に防ぐことができる。
【図面の簡単な説明】
【００１９】
【図１】本考案の実施形態に係るディスプレイ装置の斜視図である。
【図２】本考案の実施形態に係るディスプレイ装置の底面図である。
【符号の説明】
【００２０】
１    ディスプレイ装置
１０    外筒体
１１    筒部
１１ａ  上端開口
１２    載置底部
１２ａ  支持受部
１３    着座部
２０    内筒部
２０ａ  発光液受口
２０ｂ  下端
３０    照明装置
３１    ＬＥＤ照明部
３１ａ  ＬＥＤ
Ｆ      魚
【図１】
0003135602.tif 000003
【図２】
0003135602.tif 000004